(57)【要約】【課題】シールドケースへの光ファイバ中継器の取付作業を向上させる。【解決手段】シールドケース３１の外側面部３１Ａに、光ファイバ中継器３５を着脱可能に支持する合成樹脂製の中継器ホルダ３４を取り付ける。中継器ホルダ３４の係合爪部３４ａ，３４ｂが、シールドケース３１の外側面部３１Ａに形成された係止孔３１Ａａ，３１Ａｂに係脱可能に係止される。光ファイバ中継器３５のフランジ部３５ａが中継器ホルダ３４のスリット３４ｄに係合した状態で、中継器ホルダ３４の係止爪部３４ｅが、光ファイバ中継器３５のフランジ部３５ａを弾性的に係止する。機器本体ケース１２の開口部分を閉塞する光ファイバトレイ２３の爪外れ規制部２３ｅは、機器本体ケース１２の開口部分を閉塞した状態で、係止爪部３４ｅの、係止解除方向への変位を規制する。【選択図】  図４
2007328291.tif 000002
【特許請求の範囲】
【請求項１】
箱状の機器本体ケース内に光受信機本体ユニットが収納され、前記光受信機本体ユニットは、シールドケース内に光信号を電気信号に変換する変換手段を備える構成とされ、前記シールドケース外に、前記変換手段に一端部が接続される光ファイバの他端部と外部から導入される光ファイバの余長部分の端部とを接続する光ファイバ中継器を備える光受信機であって、
前記シールドケースの外側面部に、前記光ファイバ中継器を着脱可能に支持する合成樹脂製の中継器ホルダが取り付けられ、
前記中継器ホルダが、前記シールドケースの外側面部に形成された被係止部に係脱可能に係止される係合爪部を有することを特徴とする光受信機。
【請求項２】
前記光ファイバ中継器は、フランジ部を有し、このフランジ部を係脱可能に係合する被係合部が前記中継器ホルダに形成され、
前記フランジ部が前記被係合部に係脱可能に係合した状態で、前記光ファイバ中継器のフランジ部を弾性的に係止する係止爪部が前記中継器ホルダに形成されていることを特徴とする請求項１記載の光受信機。
【請求項３】
前記機器本体ケースの開口部分を閉塞するように光ファイバトレイが設けられ、この光ファイバトレイは、前記機器本体ケースの開口部分を閉塞した状態で、前記係止爪部の、係止解除方向への変位を規制する爪外れ規制部を備えることを特徴とする請求項２記載の光受信機。
【請求項４】
前記被係止部の少なくとも１つは、前記シールドケース内から光ファイバを取り出す取り出し口に形成されていることを特徴とする請求項１〜３のいずれかに記載の光受信機。
【請求項５】
前記シールドケースの外側面部に位置決め孔又は位置決め用凸部が形成され、
この位置決め孔又は位置決め用凸部に係脱可能に係合される位置決め用凸部又は位置決め孔が前記中継器ホルダに形成されていることを特徴とする請求項１〜４のいずれかに記載の光受信機。
【発明の詳細な説明】
【技術分野】
【０００１】
本発明は、光受信機、特に光受信機において用いられている光ファイバ中継器の取付構造に関するものである。
【背景技術】
【０００２】
従来より、光受信機においては、光受信部を構成するシールドケースの前面側に、光ファイバ中継器（あるいは光アダプタ）を設け、その光ファイバ中継器の先端側に、外部から導入される光ファイバの光コネクタが接続され、他端側に、シールドケース内のＯ／Ｅ変換手段と接続された光ファイバの光コネクタが抜き差し自在に接続される構成とされたものは知られている（例えば、特許文献１参照）。
【特許文献１】特開２００５−２５０９３号公報（段落００１３及び図１，図５）
【発明の開示】
【発明が解決しようとする課題】
【０００３】
特許文献１記載のものでは、光ファイバ中継器を、シールドケースに直接にねじ止めしているため、ねじ止めという細かい作業が必要であるばかりか、光ファイバが露出しているので、取付作業の際に、光ファイバが不用意に何かに引っ掛かり、断線するおそれがある。そこで、組立時あるいは設置工事時における、光ファイバ中継器（光アダプタ）の取付作業性の改善が求められていた。
【０００４】
この発明は、光ファイバ中継器を着脱可能に支持する中継器ホルダを利用して、前記光ファイバ中継器をシールドケースに取り付ける構成とすることで、光ファイバ中継器の取付作業を向上させた光受信機を提供することを目的とする。
【課題を解決するための手段】
【０００５】
請求項１の発明は、箱状の機器本体ケース内に光受信機本体ユニットが収納され、前記光受信機本体ユニットは、シールドケース内に光信号を電気信号に変換する変換手段を備える構成とされ、前記シールドケース外に、前記変換手段に一端部が接続される光ファイバの他端部と外部から導入される光ファイバの余長部分の端部とを接続する光ファイバ中継器を備える光受信機であって、前記シールドケースの外側面部に、前記光ファイバ中継器を着脱可能に支持する合成樹脂製の中継器ホルダが取り付けられ、前記中継器ホルダが、前記シールドケースの外側面部に形成された被係止部に係脱可能に係止される係合爪部を有することを特徴とする。
【０００６】
このようにすれば、中継器ホルダの係合爪部をシールドケースの外側面部の被係止部に係脱可能に係合することで前記中継器ホルダが前記シールドケースに取り付けられ、この中継器ホルダに光ファイバ中継器が着脱可能に支持される。このように中継器ホルダに光ファイバ中継器が着脱可能に、ワンタッチで支持されるようにすることよって、光ファイバ中継器をシールドケースにねじ止めにより固定する従来の場合に比べて、取付作業性が向上するし、予め中継器ホルダを所定の形状に製造しておくことで光ファイバ中継器を傾斜状態などの特定の状態で支持することも簡単にできる。また、中継器ホルダも合成樹脂製で、ねじなどを用いず、係合爪部と被係止部との係合関係でシールドケースに係脱可能に係止させるので、ワンタッチで取り付けることができ、この点からも取付作業性の向上に有利である。
【０００７】
また、中継器ホルダが光ファイバを保護するカバーとして機能するので、中継器ホルダに取り付けられた光ファイバが組立時、あるいは設置作業時に、不用意に何かに引っ掛かり断線することなどを防止することができる。
【０００８】
請求項２に記載のように、前記光ファイバ中継器は、フランジ部を有し、このフランジ部が係脱可能に係合する被係合部が前記中継器ホルダに形成され、前記フランジ部を前記被係合部に係脱可能に係合した状態で、前記光ファイバ中継器のフランジ部を弾性的に係止する係止爪部が前記中継器ホルダに形成されていることが望ましい。
【０００９】
このようにすれば、光ファイバ中継器のフランジ部が中継器ホルダの係止爪部によって弾性的に係止されるので、中継器ホルダによって光ファイバ中継器が確実に保持される。
【００１０】
請求項３に記載のように、前記機器本体ケースの開口部分を閉塞するように光ファイバトレイが設けられ、この光ファイバトレイは、前記機器本体ケースの開口部分を閉塞した状態で、前記係止爪部の、係止解除方向への変位を規制する爪外れ規制部を備える構成とすることも可能である。
【００１１】
このようにすれば、光ファイバトレイの爪外れ規制部によって、係止爪部の、係止解除方向への変位が規制され、光ファイバトレイを装着している限り光ファイバ中継器が中継器ホルダより外れることがなくなり、中継器ホルダによる光ファイバ中継器の保持が確実となる。
【００１２】
請求項４に記載のように、前記被係止部の少なくとも１つは、前記シールドケース内から光ファイバを取り出す取り出し口に形成されている構成とすることも可能である。
【００１３】
このようにすれば、被係止部が、前記シールドケース内から光ファイバを取り出す取り出し口に一緒に形成されるので、構造が簡単となる。
【００１４】
請求項５に記載のように、前記シールドケースの外側面部に位置決め孔又は位置決め用凸部が形成され、この位置決め孔又は位置決め用凸部に係脱可能に係合される位置決め用凸部又は位置決め孔が前記中継器ホルダに形成されていることが望ましい。
【００１５】
このようにすれば、位置決め孔と位置決め用凸部との係合関係で、シールドケースの外側面部に中継器ホルダを精度よく位置決めして設けることができる。
【発明の効果】
【００１６】
本発明は、シールドケースの外側面部に係止される中継器ホルダに、光ファイバ中継器を着脱可能にワンタッチで支持させるように構成することよって、光ファイバ中継器をシールドケースにねじ止めにより固定する従来の場合に比べて、光ファイバ中継器の取付作業性が向上する。また、中継器ホルダも合成樹脂製で、ねじなどを用いず、係合爪部と被係止部との係合関係でシールドケースに係脱可能に係止させるので、ワンタッチで取り付けることができ、この点からも取付作業性の向上に有利である。
【発明を実施するための最良の形態】
【００１７】
以下、本発明の実施の形態を図面に沿って説明する。
【００１８】
図１は本発明に係る光受信機を示し、図１（ａ）は正面図、図１（ｂ）は側面図、図１（ｃ）は底面図である。
【００１９】
図１（ａ）〜（ｃ）に示すように、本発明に係る光受信機１１は、箱形状の機器本体ケース１２と、この機器本体ケース１２の上側左右側部に、上側左右側部の取付フランジ部１３ａが回転可能に支持される蓋体１３とを有する。なお、機器本体ケース１２の上側には１つの取付フランジ部１２ａが、下側には３つの取付フランジ部１２ｂがそれぞれ設けられている。
【００２０】
機器本体ケース１２の側面部１２Ａ（取付状態で下面となる、取付フランジ部１２ｂが設けられている側の側面部）には、後述する電源ユニット２１からの電源コード２１ａが導き出される切り欠き部１２Ａａが形成されている。
【００２１】
また、側面部１２Ａには、切り欠き部１２Ａａと並んで、図示しない発光ダイオードの点灯状態を確認するための窓部が設けられ、この窓部には防水カバー部材１５が２つの固定ねじ１６Ａ，１６Ｂにて固定されている。この防水カバー部材１５は、透光可能な材料（例えばアクリル樹脂）で形成されている。
【００２２】
また、前記窓部（防水カバー部材１５）を挟んで、切り欠き部１２Ａａと反対側に３つの開孔１２Ａｃが形成されている。３つの開孔１２Ａｃのうち前記窓部とは、反対側の２つの開孔１２Ａｃを通じて、後述するシールドケース３１に設けられた２つのＦ型接栓２４が突出し、図示しない同軸ケーブルのＦ型コネクタが接続される構成となっている。なお、切り欠き部１２Ａａ及び開孔１２Ａｃについても、具体的には図示していないが、防水カバー部材１５による防水性能と同程度の防水性能を確保できるようにシール手段が施されている。
【００２３】
さらに、図３〜図５に沿って構造について詳述する。
【００２４】
機器本体ケース１２内には、図３（ａ）に示すように、電源ユニット２１と、光受信機本体ユニット２２とが並んで収納され、それらの上側の開口部分が光ファイバトレイ２３によって閉塞される構成となっている。光ファイバトレイ２３には、機器本体ケース１２の係止爪１２ｃにて係止される係止面部２３ａが形成され、この係止面部２３ａが係止爪１２ｃによって係止されることで光ファイバトレイ２３が機器本体ケース１２に係止される。
【００２５】
電源ユニット２１の電源コード２１ａは、機器本体ケース１２の切り欠き部１２Ａａを通じて外部に導出される。また、光受信機本体ユニット２２から突出するＦ型接栓２４は、機器本体ケース１２の側面部１２Ａの開孔１２Ａｃを通じて、外部に突出するようになっている。
【００２６】
光ファイバトレイ２３上には、箱形状で合成樹脂製の中継器ホルダ３４が取り付けられ、この中継器ホルダ３４に光ファイバ中継器３５が着脱可能に支持されている。そして、外部から光ファイバ挿入口２３ｂを通じて導入された光ファイバ（図示せず）の余長部分が、トレイ２３上の複数のリブに対して巻き付けられ、それの端部の光コネクタ（図示せず）が、光ファイバ中継器３５の一端部に接続されている。この光ファイバ中継器３５に対応して、光ファイバトレイ２３に、傾斜面である光ファイバコネクタ案内面２３ｃ及び光ファイバコネクタ通し口２３ｄが設けられている。
【００２７】
光受信機本体ユニット２２は、シールドケース３１内に、光信号を電気信号に変換する変換手段（図示せず）を備え、前記変換手段に一端部が接続される光ファイバ３６の他端部がシールドケース３１外に導き出され、この光ファイバ３６の他端部の光コネクタ３７が光ファイバ中継器３５の他端部に接続されている。つまり、光ファイバ中継器３５によって、シールドケース３１内の前記変換手段に一端部が接続される光ファイバ３６の他端部と外部から導入される光ファイバの余長部分の端部とが光学的に接続される。
【００２８】
中継器ホルダ３４は、光ファイバ中継器３５を、前記一端部側から他端部側に向かって徐々に高さが低くなるように傾斜状態で支持するものである。そして、中継器ホルダ３４は、図４及び図５に示すように、ホルダ長手方向において一定間隔を存して底面部に係合爪部３４ａ，３４ｂが設けられ、これらの係合爪部３４ａ，３４ｂがシールドケース３１の外側面部３１Ａ（取付状態で前面部となる面）の係止孔３１Ａａ，３１Ａｂに係脱可能に係合することで、中継器ホルダ３４がシールドケース３１の外側面部３１Ａに対し樹脂弾性を利用して着脱可能に取り付けられている。なお、係合爪部３４ｂが係止される係止孔３１Ａｂ（被係止部）に連続して、前記変換手段に接続される光ファイバ３６がシールドケース３１内から導き出される光ファイバ取り出し口３１Ａｄが設けられている。この取り出し口３１Ａｄから導き出された光ファイバ３６の端部の光コネクタ３７が、前述したように光ファイバ中継器３５の他端部に接続される
また、一方の係合爪部３４ａ付近に、中継器ホルダ３４の位置決め用凸部３４ｃが設けられ、その位置決め用凸部３４ｃが係合する位置決め用孔３１Ａｃがシールドケース３１に形成されている。。この位置決め用孔３１Ａｃと位置決め用凸部３４ｃとの係合関係で、シールドケース３１の外側面部３１Ａに対する中継器ホルダ３４（光ファイバ中継器３５）の位置決めがなされる。
【００２９】
光ファイバ中継器３５への光コネクタ３７の接続を可能とするために、中継器ホルダ３４の底面には、矩形状の開孔３４ｆが光ファイバ中継器３５の他端部側（係合爪部３４ｂが設けられている側）に形成されている。これにより、取り出し口３１Ａｄから導き出された光ファイバ３６は、周囲が中継器ホルダ３４によって覆われて保護されるので、組立時、あるいは設置作業時に、光ファイバ３６が不用意に何かに引っ掛かり断線することなどを防止することができる。
【００３０】
光ファイバ中継器３５は、左右に突出するフランジ部３５ａを有し、このフランジ部３５ａが係脱可能に係合するスリット３４ｄ（被係合部）が中継器ホルダ３４の左右側板部に形成され、フランジ部３５ａが中継器ホルダ３４のスリット３４ｄに係合した状態で、光ファイバ中継器３５のフランジ部３５ａを係止する係止爪部３４ｅが中継器ホルダ３４に設けられている。
【００３１】
また、光ファイバトレイ２３は、係止爪部３４ｅの、係止解除方向への変位を規制する爪外れ防止凸部２３ｅを備える。よって、光ファイバトレイ２３が取り付けられた状態では、係止爪部３４ｅによるフランジ部３５ａの係止が解除されず、中継器ホルダ３４から光ファイバ中継器３５が不用意に外れないようになっている（図３（ｂ）参照）。
【００３２】
前記実施の形態では、中継器ホルダ３４は、光ファイバ中継器３５を傾斜状態で支持するようにしているが、必ずしも傾斜状態で支持する必要はなく、中継器ホルダの支持態様を変更することで、所望の形態（例えば水平状態）で支持することも可能である。
【００３３】
また、シールドケース３１の外側面部３１Ａに位置決め孔３１Ａｃを、この位置決め孔３１Ａｃに係脱可能に係合する位置決め用凸部３４ｃを中継器ホルダ３４に形成しているが、逆に、シールドケースの外側面部に位置決め用凸部を、この位置決め凸部に係脱可能に係合する位置決め孔を中継器ホルダに形成することも可能である。
【図面の簡単な説明】
【００３４】
【図１】本発明に係る光受信機を示し、図１（ａ）は正面図、図１（ｂ）は側面図、図１（ｃ）は底面図である。
【図２】前記光受信機の分解斜視図である。
【図３】図３（ａ）は図１（ａ）のＡ−Ａ線における断面図、図３（ｂ）は図３（ａ）のＢ部の拡大図である。
【図４】光受信機本体ユニットと中継器ホルダとの関係を示す斜視図である。
【図５】光受信機本体ユニット、中継器ホルダ及び光ファイバ中継器の関係を示す斜視図である。
【符号の説明】
【００３５】
１１    光受信機
１２    機器本体ケース
１２Ａ    側面部
１５    防水カバー部材
２２    光受信機本体ユニット
２３    光ファイバトレイ
２３ｅ    爪外れ防止凸部
３１    シールドケース
３１Ａ    外側面部
３１Ａａ，３１Ａｂ    係止孔（被係止部）
３１Ａｃ    位置決め孔
３４    中継器ホルダ
３４ａ，３４ｂ    係合爪部
３４ｃ    位置決め用凸部
３４ｄ    スリット
３４ｅ    係止爪部
３５    光ファイバ中継器
３５ａ    フランジ部（被係合部）
【図１】
2007328291.tif 000003
【図２】
2007328291.tif 000004
【図３】
2007328291.tif 000005
【図４】
2007328291.tif 000006
【図５】
2007328291.tif 000007